(57)【要約】【課題】本発明は、目の周囲に装着して目の周囲を刺激し目の疲れをとることができる装着体を提供することを目的としている。【解決手段】装着体１は、目の周囲に対向すると共に、両方のまぶたに対向する部位が開口した本体１０と、前記目の周囲に当接して前記目の周囲を冷却し、前記本体の目に当接する側に位置すると共に、前記開口を介して視野を確保するように設けられた冷却部１０ｂと、本体１０の冷却部１０ｂが前記目の周囲に当接するように設けられた取り付け部材１０ｃとを備えている。【選択図】図１
2004121510.tif 000002
【特許請求の範囲】
【請求項１】
目の周囲に対向すると共に、両方のまぶたに対向する部位が開口した本体と、
前記目の周囲に当接して前記目の周囲を冷却し、前記本体の目に当接する側に位置すると共に、前記開口を介して視野を確保するように設けられた冷却部と、
前記本体の冷却部が前記目の周囲に当接するように設けられた取り付け部材とを備えている
ことを特徴とする装着体。
【請求項２】
目の周囲に対向すると共に、両方のまぶたに対向する部位が開口した本体と、
前記目の周囲に当接して熱を加えて前記目の周囲を暖め、前記本体の目に当接する側に位置すると共に、前記開口を介して視野を確保するように設けられた加熱部と、
前記本体の加熱部が前記目の周囲に当接するように設けられた取り付け部材とを備えている
ことを特徴とする装着体。
【請求項３】
開口は複数の開口部で形成されていることを特徴とする請求項１又は請求項２記載の装着体。
【請求項４】
目の周囲に対向すると共に、両方のまぶたに対向する部位を透明とした透明部を有した本体と、
前記目の周囲に当接して前記目の周囲を冷却し、前記本体の目に当接する側に位置すると共に、前記透明部を介して視野を確保するように設けられた冷却部と、
前記本体の冷却部が前記目の周囲に当接するように設けられた取り付け部材とを備えている
ことを特徴とする装着体。
【請求項５】
目の周囲に対向すると共に、両方のまぶたに対向する部位を透明とした透明部を有した本体と、
前記目の周囲に当接して熱を加えて前記目の周囲を暖め、前記本体の目に当接する側に位置すると共に、前記透明部を介して視野を確保するように設けられた加熱部と、
前記本体の加熱部が前記目の周囲に当接するように設けられた取り付け部材とを備えている
ことを特徴とする装着体。
【請求項６】
取り付け部材は、冷却部の目の周囲に当接する側に設けられた粘着テ−プ、本体の両側に取り付けられバンド、本体の両側に取り付けられた耳に掛ける耳掛け部の何れか一つであることを特徴とする請求項１又は請求項４記載の装着体。
【発明の詳細な説明】
【発明の属する技術分野】
【０００１】
本発明は、装着体に係り、特に、目の周囲に装着して目の周囲を刺激し目の疲れをとることができる装着体に関するものである。
【０００２】
【従来の技術】
従来から、目の疲れをとるために、目を冷却する機能を備えたアイマスクがある（例えば、特許文献１参照）。
【０００３】
【特許文献１】
登録実用新案公報（第３０５２１１６号）
【発明が解決しようとする課題】
【０００４】
しかしながら、上述したものは、アイマスク（目隠し）であるため、装着した状態では、視野の確保ができないため動くことができず、使用にあっては制約を受けるという問題点があった。
従って、本発明は、上述した点を考慮してなされたもので、視野を確保しながら、目の周囲を刺激し目の疲れをとることができる装着体を提供することにある。
【０００５】
【課題を解決するための手段】
このような目的を達成するために、請求項１記載の装着体は、目の周囲に対向すると共に、両方のまぶたに対向する部位が開口した本体と、前記目の周囲に当接して前記目の周囲を冷却し、前記本体の目に当接する側に位置すると共に、前記開口を介して視野を確保するように設けられた冷却部と、前記本体の冷却部が前記目の周囲に当接するように設けられた取り付け部材とを備えているものである。
【０００６】
また、請求項２記載の装着体は、目の周囲に対向すると共に、両方のまぶたに対向する部位が開口した本体と、前記目の周囲に当接して熱を加えて前記目の周囲を暖め、前記本体の目に当接する側に位置すると共に、前記開口を介して視野を確保するように設けられた加熱部と、前記本体の加熱部が前記目の周囲に当接するように設けられた取り付け部材とを備えているものである。
【０００７】
また、請求項３記載の装着体は、請求項１又は請求項２記載の装着体において、開口は複数の開口部で形成されているものである。
【０００８】
また、請求項４記載の装着体は、目の周囲に対向すると共に、両方のまぶたに対向する部位を透明とした透明部を有した本体と、前記目の周囲に当接して前記目の周囲を冷却し、前記本体の目に当接する側に位置すると共に、前記透明部を介して視野を確保するように設けられた冷却部と、前記本体の冷却部が前記目の周囲に当接するように設けられた取り付け部材とを備えているものである。
【０００９】
また、請求項５記載の装着体は、目の周囲に対向すると共に、両方のまぶたに対向する部位を透明とした透明部を有した本体と、前記目の周囲に当接して熱を加えて前記目の周囲を暖め、前記本体の目に当接する側に位置すると共に、前記透明部を介して視野を確保するように設けられた加熱部と、前記本体の加熱部が前記目の周囲に当接するように設けられた取り付け部材とを備えているものである。
【００１０】
また、請求項６記載の装着体は、請求項１又は請求項４記載の装着体において、取り付け部材は、冷却部の目の周囲に当接する側に設けられた粘着テ−プ、本体の両側に取り付けられバンド、本体の両側に取り付けられた耳に掛ける耳掛け部の何れか一つである。
【００１１】
【実施例】
本発明の装着体の一実施例を図面を参照して説明する。
図１乃至図４において、１は目の周囲に装着することができる装着体で、装着体１は、装着時、目の周囲に対向すると共に、両方のまぶたに対向する部位が開口（開口部１０ａ）した本体１０を有している。
【００１２】
本体１０の目に当接する側には冷却部１０ｂが設けられている。
冷却部１０ｂは、目の周囲に当接して前記目の周囲を冷却し、本体１０の目に当接する側に位置すると共に、開口（開口部１０ａ）を介して視野を確保するように設けられている。冷却部１０ｂには、例えば、視野を確保できるように、開口部１０ａに対向するような開口部を備えている。
冷却部１０ｂは、本体１０と一体的に設けても良いが、本体１０と別体に形成し、冷却部１０ｂに両面テ−プで着脱自在に取り付けるようにしても良い。
冷却部１０ｂは、例えば、高分子吸収ポリマ−、多価高分子アルコ−ル、水により構成された冷却剤であり、より具体的には、例えば、扶桑化学株式会社製商品名「瞬間冷却パック」、ライオン株式会社製商品名「冷えピタ」等を挙げることができる。
【００１３】
なお、冷却部１０ｂの代わりに、目の周囲に当接して熱を加えて前記目の周囲を暖め、本体１０の目に当接する側に位置すると共に、開口（開口部１０ａ）を介して視野を確保するように設けられた加熱部としても良い。
加熱部は、例えば、目の周囲に当接して熱を加えて目の周囲を暖め、目の周囲を刺激すれば良く、例えば、鉄粉が酸化する際、発生する発生熱を利用した周知の「使い捨てカイロ」等である。
【００１４】
１０Ｃは、本体１０の冷却部１０ｂが目の周囲に当接するように設けられた取り付け部材で、図３及び図４に示された取り付け部材１０Ｃは、本体１０の両側に取り付けられたバンドであり、より望ましくは、伸縮自在なバンドである。
【００１５】
従って、上述した装着体１を図１に示すように装着すれば、装着時、両方のまぶたに対向する本体１０の部位が開口しているため、視野を確保でき、装着したまま動くことができ、かつ、冷却部１０ｂにより目の周囲を冷却して、目の周囲を刺激して目の疲れをとることができる。
また、冷却部１０ｂの代わりに、目の周囲に当接して熱を加えて目の周囲を暖める加熱部とした場合、上述と同様に、装着時、両方のまぶたに対向する本体１０の部位が開口しているため、視野を確保でき、装着したまま動くことができ、かつ、加熱部により目の周囲を暖めて、目の周囲を刺激して目の疲れをとることができる。
【００１６】
なお、取り付け部材１０Ｃは、上述したバンドに限らず、図５に示すように、本体１０を眼鏡枠（フレ−ム）形状とし、本体１０の両側に取り付けられた耳に掛ける耳掛け部（テンプル）としても良いし、
また、図６に示すように、冷却部１０ｂの目の周囲に当接する側に設けられた粘着テ−プ１０ｃとしても良い。図７は、図６に示す装着体１を目の周囲に装着した状態を示している。
また、まぶたに対向する部位である開口（開口部１０ａ）は、単一としたが、図８に示すように、開口は複数の開口部１０ａとして形成しても良い。複数の開口部１０ａは、開口を覆うようにカバ−を設けると共に、該カバ−に複数の開口を設けるようにする。
更に、まぶたに対向する部位を開口としたが、開口せずとも透明部（図示せず）とし、該透明部により、装着体の装着時の視野を確保するようにしても良い。該透明部は、例えば、ガラス、樹脂等により形成する。
なお、図５乃至図８においては、図１乃至図４と同一部分に同一符号を付してその説明を一部省略している。
【００１７】
【発明の効果】
請求項１記載の装着体によれば、装着時、まぶたに対向する本体の部位は開口しているため、視野を確保でき、装着したまま動くことができ、かつ、冷却部により目の周囲を冷却して、目の周囲を刺激して目の疲れをとることができる。
【００１８】
また、請求項２記載の装着体によれば、装着時、まぶたに対向する本体の部位は開口しているため、視野を確保でき、装着したまま動くことができ、かつ、加熱部により目の周囲を暖めて、目の周囲を刺激して目の疲れをとることができる。
【００１９】
また、請求項４記載の装着体によれば、装着時、まぶたに対向する本体の部位は透明であるため、視野を確保でき、装着したまま動くことができ、かつ、冷却部により目の周囲を冷却して、目の周囲を刺激して目の疲れをとることができる。
【００２０】
また、請求項５記載の装着体によれば、装着時、まぶたに対向する本体の部位は透明であるため、視野を確保でき、装着したまま動くことができ、かつ、加熱部により目の周囲を暖めて、目の周囲を刺激して目の疲れをとることができる。
【図面の簡単な説明】
【図１】図１は、本発明の一実施例の装着体を装着した状態の概略的正面図である。
【図２】図２は、図１の概略的側断面図である。
【図３】図３は、図１の装着体の概略的斜視図である。
【図４】図４は、図３の装着体に冷却部を取り付ける前の状態の概略的斜視図である。
【図５】図５は、図３の装着体と異なる他の実施例の装着体の概略的斜視図である。
【図６】図６は、図５の装着体と異なる他の実施例の装着体の概略的斜視図である。
【図７】図７は、図６の装着体を装着した状態の概略的正面図である。
【図８】図８は、図６の装着体と異なる他の実施例の装着体の概略的斜視図である。
【符号の説明】
１　　装着体
１０　　本体
１０ｂ　冷却部
１０ｃ　取り付け部材
【図１】
2004121510.tif 000003
【図２】
2004121510.tif 000004
【図３】
2004121510.tif 000005
【図４】
2004121510.tif 000006
【図５】
2004121510.tif 000007
【図６】
2004121510.tif 000008
【図７】
2004121510.tif 000009
【図８】
2004121510.tif 000010